(57)【要約】【課題】目の疲労を簡単な構造で容易に治癒することの可能な眼疲労治癒具を提供する。【解決手段】少なくとも一方の眼球部を覆うアイカップと、上記アイカップの内部に設けられ温冷水などの流体を収容する流体収容部と、上記流体収容部に流体を給送する流体給送パイプと、上記流体給送パイプに配置された昇圧ポンプ手段とを備え、上記流体収容部には、上記流体の温度を眼球部に伝導する触圧パッド部材を設け、この触圧パッド部材は上記流体収容部に収容された流体の圧力に応じて眼球部を押圧する押圧力を調整可能に構成し、上記昇圧ポンプ手段は、上記流体収容部の流体圧力を強弱調整可能に構成する。【選択図】図２
2010063542.tif 000002
【特許請求の範囲】
【請求項１】
人体の眼球部に装着する眼疲労治癒具であって、
少なくとも一方の眼球部を覆うアイカップと、
上記アイカップの内部に設けられ温冷水などの流体を収容する流体収容部と、
上記流体収容部に流体を給送する流体給送パイプと、
上記流体給送パイプに配置された昇圧ポンプ手段と、
を備え、
上記流体収容部には、上記流体の温度を眼球部に伝導する触圧パッド部材が設けられ、
この触圧パッド部材は上記流体収容部に収容された流体の圧力に応じて眼球部を押圧する押圧力が調整可能に構成され、
上記昇圧ポンプ手段は、上記流体収容部の流体圧力を強弱調整可能に構成されていることを特徴とする眼疲労治癒具。
【請求項２】
前記触圧パッド部材は、
前記アイカップの眼球部と対面する位置で前記流体収容部に隔壁状に配置されると共に、
内部の流体圧力に応じて膨縮する弾性材料で構成されていることを特徴とする請求項１に記載の眼疲労治癒具。
【請求項３】
前記触圧パッド部材には、人体の眼球部と対面する側に眼球及び／又は眼縁部に刺激を及ぼす触圧突起が設けられていることを特徴とする請求項１に記載の眼疲労治癒具。
【請求項４】
前記アイカップは、略々人体の眼球部の周縁を覆うフランジ部と、このフランジ部に囲周された凹陥部から成る流体収容部とを備え、
上記凹陥部には、前記触圧パッド部材が着脱可能に装着され、
（１）この凹陥部に触圧パッド部材が装着された状態で、眼球部には流体温度と流体圧力がこの触圧パッド部材を介して作用し、
（２）上記凹陥部に触圧パッド部材が装着されていない状態で、眼球部には上記凹陥部に供給された流体が直接作用する、
ように構成されていることを特徴とする請求項１に記載の眼疲労治癒具。
【請求項５】
前記流体収容部を形成する凹陥部には、前記流体給送パイプに連なる流体吐出ノズルが配置され、
前記流体収容部に触圧パッド部材が装着されていないとき、上記流体吐出ノズルは、人体の眼球部に噴霧状に流体を射出するか、又はジェット流状に流体を射出するか選択可能な吐出弁を備えていることを特徴とする請求項４に記載の眼疲労治癒具。
【請求項６】
前記流体吐出ノズルに配置されたジェット流状に流体を射出する吐出弁は、流体吐出方向が位置変更可能に構成されていることを特徴とする請求項５に記載の眼疲労治癒具。
【発明の詳細な説明】
【技術分野】
【０００１】
本発明は、眼球の周辺を押圧することによりマッサージ効果が得られ、眼球の周辺を冷却または保温することにより、目の疲れや眼精疲労感を緩和し、眼球機能を回復又は向上させるための眼疲労治癒具に関する。
【背景技術】
【０００２】
従来、この種の眼疲労治癒具としては種々の構造が知られ、人体の眼疲労を冷却治療、加温治療、マッサージ治療するものが知られている。そしてその構造としてはゴーグル状の装着器を眼球部に装着し、内部に冷水又は温水を給送して眼球を温度刺激するもの、或いはアイマスク状の装着器を眼球部に装着し、内部に埋設したバイブレータでマッサージ効果を及ぼすもの、更にはコップ状の装着器を眼球部に装着し、内部に洗眼剤を給送して眼球を洗眼するものが知られている。
【０００３】
例えば特許文献１には、人体の眼球を洗眼する機器としてカップ状の装着器具を眼球部に装着し、この器具内部に冷水又は温水を水道管から供給する治療具が提案されている。
また、特許文献２には、アイマスク状の装着器具を眼球部に装着し、この器具内部には内蔵されたバイブレータで眼球にマッサージ刺激を作用させる治療具が提案されている。
【特許文献１】特開平９−１０８２９４号公報
【発明の開示】
【発明が解決しようとする課題】
【０００４】
上述のように人体の眼球部（眼球部自体及びその周縁部）に温度刺激を与えて治癒する方法および手指で指圧して治癒する方法が知られている。このような治癒器具としては前掲特許文献１のように、眼球部に窪みを有するアイマスク或いはゴーグル状に眼球部を覆って内部に温冷水などの流体を供給するか、内部に収容した加圧パッドをバイブレータで加震する方法が知られている。
【０００５】
ところが眼、頭などの疲労感は、複合的な刺激作用と同時に症状に応じた手当が好適である。つまり例えば目の網膜などの中枢神経は心地良い強さとリズムでポイント（ツボ）を押圧することが要求される。これに対し従来の治癒具はバイブレータなどの機械的振動で眼球部をマッサージしているため使用者の症状に合った心地良い強さとリズムで押圧することは困難であった。また従来の目の疲労治癒具は、眼球周縁をマッサージする指圧作用と、眼球周縁を温水浴、或いは冷水浴する熱的刺激作用とを同時に作用させて治療するものは知られていない。
【０００６】
そこで本発明者は、目の疲労治癒のために眼球及びその周縁に温冷熱刺激と、温冷浴刺激と、指圧刺激を同時に作用させることによってより効果的な治療効果を得ることが可能との着想に至った。更にこの熱刺激、浴刺激、指圧刺激を安定した状態で長時間作用させることと、これらの刺激を使用者が簡単に強弱調整することが可能な治癒具を案出するに至った。
【０００７】
本発明は目の疲労を簡単な構造で容易に治癒することの可能な眼疲労治癒具の提供をその課題としている。
更に本発明は眼球部に熱的刺激と同時に指圧的刺激を同時に作用させことが可能であり、同時にその強弱を簡単に調整することが可能な眼疲労治癒具の提供をその課題としている。
【課題を解決するための手段】
【０００８】
人体の眼球部に装着する眼疲労治癒具であって、少なくとも一方の眼球部を覆うアイカップと、上記アイカップの内部に設けられ温冷水などの流体を収容する流体収容部と、上記流体収容部に流体を給送する流体給送パイプと、上記流体給送パイプに配置された昇圧ポンプ手段とを備え、上記流体収容部には、上記流体の温度を眼球部に伝導する触圧パッド部材を設け、この触圧パッド部材は上記流体収容部に収容された流体の圧力に応じて眼球部を押圧する押圧力を調整可能に構成し、上記昇圧ポンプ手段は、上記流体収容部の流体圧力を強弱調整可能に構成する。
【０００９】
前記触圧パッド部材は、前記アイカップの眼球部と対面する位置で前記流体収容部に隔壁状に配置すると共に、内部の流体圧力に応じて膨縮する弾性材料で構成する。
【００１０】
前記触圧パッド部材には、人体の眼球部と対面する側に眼球及び／又は眼縁部に刺激を及ぼす触圧突起を設ける。
【００１１】
前記アイカップは、略々人体の眼球部の周縁を覆うフランジ部と、このフランジ部に囲周された凹陥部から成る流体収容部とを備え、上記凹陥部には、前記触圧パッド部材を着脱可能に装着し、（１）この凹陥部に触圧パッド部材が装着された状態で、眼球部には流体温度と流体圧力がこの触圧パッド部材を介して作用し、（２）上記凹陥部に触圧パッド部材が装着されていない状態で、眼球部には上記凹陥部に供給された流体が直接作用するように構成する。
【００１２】
前記流体収容部を形成する凹陥部には、前記流体給送パイプに連なる流体吐出ノズルを配置し、前記流体収容部に触圧パッド部材が装着されていないとき、上記流体吐出ノズルは、人体の眼球部に噴霧状に流体を射出するか、又はジェット流状に流体を射出するか選択可能な吐出弁を備える。
【００１３】
前記流体吐出ノズルに配置されたジェット流状に流体を射出する吐出弁は、流体吐出方向を位置変更可能に構成する。
【発明の効果】
【００１４】
本発明は、人体の眼球部に流体収容部を有するアイカップを装着し、この流体収容部に設けた触圧パッド部材を介して眼球部に流体の温度と圧力を作用させるようにしたものであるから次の効果を奏する。
【００１５】
眼球部に熱的刺激と同時に指圧的刺激を安定した条件で同時に作用させることができる。つまり、アイカップに設けた触圧パッドで眼球部にパッド内部の流体の熱と圧力を眼球に作用させるものであるから、アイカップに供給する流体（温冷水など）の温度で熱的刺激を、圧力で指圧刺激を眼球に作用させることが出来る。
【００１６】
また、眼球部に作用させる指圧刺激と熱的刺激はアイカップに供給する流体、例えば温水、風呂浴水などで長時間安定した温度に維持することが出来る。
【００１７】
更に本発明は、アイカップに供給する流体の温度を高低調整することによって熱的刺激を調整することが可能であり、同時にアイカップ内に収容した流体の圧力を高低調整することによって指圧刺激を簡単に調整することが出来る。特に流体の圧力の大小を例えば手動ポンプで使用者が手加減するように構成することによって好適な心地良い刺激を眼球に与えることが可能となる。
【００１８】
本発明はこのように眼球部に装着するアイカップと、このアイカップに設けた触圧パッドで熱的刺激と指圧刺激を同時に作用させ、その刺激の強弱はアイカップに供給する温冷水などの流体で調整するため、至って簡単な構造で眼球部の症状に適した好適な心地良い刺激を作用させることが出来る。
【発明を実施するための最良の形態】
【００１９】
以下、図示の好適な実施の形態に基づいて本発明を詳述する。図１は、本発明に係わる眼疲労治癒具Ａの説明図であり、図２は図１の装置の使用形態を表す全体斜視図であり、図３は触圧パッドの装着状態を示す説明図である。
【００２０】
［眼疲労治癒具の構成］
図１（ａ）に示す眼疲労治癒具Ａはアイカップ３と、このアイカップ内部に形成された流体収容部３１と、この収容部内の流体Ｌの熱と圧力を眼球Ｇに伝達する触圧パッド５とから構成されている。
【００２１】
上記アイカップ３は、人体の眼球Ｇの少なくとも一方を覆うような形状に形成される。このアイカップ３は、ゴーグル形状、カップ形状、アイマスク形状など眼球Ｇの一方又は双方を覆う形状に構成される。上記アイカップ３は、比較的固い例えば合成樹脂などのハードケースか、比較的柔らかい布、フィルムなどのソフトケースで構成される。また、眼球Ｇに対面する位置に凹陥部が形成され、この凹陥部は後述する流体収容部３１を構成する。このようにアイカップ３はコップ形状、ゴーグル形状、アイマスク形状など適宜形状で眼球Ｇの周囲を覆うように形成される。
【００２２】
そしてアイカップ３の周囲は人体の眼球部周縁を覆うようにフランジ部３２が設けられ、このフランジ部３２は人体の顔面にフィットするように弾力性に富んだ材料、例えばゴム質材で形成されている。このようにアイカップ３の周縁のフランジ部３２を使用者の顔面にフィットして機密性を保持するように弾性部材で構成したのは後述する凹陥部（流体収容部）３１に収納した流体Ｌが漏れ出さないようにするためである。
【００２３】
上記アイカップ３には人体の顔に装着するように頭部装着バンド４或いは耳部装着つる（眼鏡のツル形状（不図示））が設けられている。
【００２４】
上記触圧パッド５は、アイカップ３の凹陥部（流体収容部；以下同様）３１で眼球Ｇと対面する位置（図３参照）に配置され、アイカップ３に一体的に取り付けられるか、又は、着脱可能に取り付けられる。図示のものはアイカップ３のフランジ部３２に形成されたホゾ溝３ｘに嵌合され着脱自在に取り付けられるようになっている。そしてこの触圧パッド５は後述する治癒目的に応じてアイカップ３の凹陥部３１に装着するようになっている。この他、触圧パッド５はアイカップ３のフランジ部３２に一体的に例えば接着剤などで固着しても良い。
【００２５】
上記触圧パッド５は凹陥部３１に収容される流体Ｌ（温水、冷水など）の温度を眼球Ｇに伝達するようにプラスチックフィルム材、ゴムフィルム材などの熱伝導性材料（熱伝導率を有する材料であればその伝導率の大小は問わない）で構成されている。またこの触圧パッド５は弾性部材で、凹陥部３１に収容される流体Ｌの圧力で膨縮して眼球Ｇを指圧するように構成されている（図３（ｃ）参照）。
【００２６】
そして上記触圧パッド５の表面には眼球周縁のツボに適合する位置に突起５２、５３が設けてあり、流体Ｌの圧力で膨縮する突起５２、５３で眼球Ｇ或いはその周縁のツボを指圧するようにないっている。
【００２７】
上記アイカップ３には前述の凹陥部３１が設けられ、この凹陥部３１には流体Ｌが供給されるようになっている。つまりアイカップ３には供給口１０が設けられ、この供給口１０は凹陥部３１に連通する位置に配置されている。そして供給口１０には流体供給パイプ１５（以下「供給パイプ」という）が連結され、供給パイプ１５の基端部には流体Ｌの貯湯タンク２６が配置されている。この貯湯タンク２６には手動ポンプ２５が内蔵されている。手動ポンプ２５は図示しないがハンドル２５ｈに連結したピストンが貯湯タンク２６の一部に設けたシリンダに嵌合され、このピストンをハンドル２５ｈでシリンダ内を往復動させることによって貯湯タンク内の流体Ｌをアイカップ側に供給するように構成されている。
【００２８】
また上記供給パイプ１５には昇圧タンク１３が設けてあり、手動ポンプ２５で送られた流体Ｌの圧力を貯圧して安定化させるようになっている。図示１１は開閉弁であり、凹陥部（流体収容部）３１から流体（温冷水）を抜くドレンパイプ１１ｄに設けられている。また図示１２は逆止弁であり、昇圧タンク内の流体の圧力を調整する。図示１４は空気抜き用の開閉弁である。
【００２９】
［作用の説明］
上述のように構成された眼疲労治癒具Ａは、入浴中に浴槽内の温水を利用して目を治癒するときと、通常の生活中（入浴外使用）に温冷水で目を治癒するときにそれぞれ「触圧パッド付アイカップの使用態様」と「触圧パッドなしのアイカップの使用態様」で使用される。各使用態様について説明する。
【００３０】
「浴水を利用する場合の治癒作用」
まず「入浴中の治癒」は、アイカップ３の流体収容部３１に浴槽水を供給して治癒する。この場合には、前述の供給パイプ１５から貯湯タンク２６を取り外して、供給パイプ１５を直接浴槽内に配置する。また、前述の触圧パッド５はアイカップ３に装着した状態か、触圧パッドなしの状態でアイカップ３を準備する。そこでこのアイカップ３を顔面に装着する。このアイカップ３の装着は例えば頭部装着バンド４で装着する。そして使用者は手動ポンプ２５のハンドル２５ｈを操作する。これと同時に凹陥部（流体収容部）内の空気を抜く開閉弁１４を解放する。
【００３１】
次いで使用者は手動ポンプ２５のハンドル２５ｈを装置して、浴槽内の温水を凹陥部（流体収容部）３１に収容する。すると凹陥部（流体収容部）３１には湯水が送り込まれ、ハンドル２５ｈの操作に伴って凹陥部（流体収容部）内に充満される。この流体収容部３１に収容された流体温度は眼球部に温浴効果として作用する。このとき使用者は開閉弁１４を閉鎖して流体収容部３１を密閉状態に保持し、手動ポンプ２５のハンドル２５ｈを操作する。すると浴槽内の温水は流体収容部３１に過剰に供給される。この過剰に供給された温浴水は昇圧タンク１３で昇圧される。このように昇圧された温浴水は触圧パッド５を介して眼球Ｇ及びその周縁部を加圧マッサージする。
【００３２】
従って触圧パッド５はハンドル２５ｈの操作加減で眼球Ｇに作用する触圧パッド５の押圧力を心地良い最適条件に調整することが可能となる。また、触圧パッド５の表面に突起５２、５３を設けた場合にはこの突起５２、５３が眼細胞のツボを押圧刺激することとなる。このように簡単な構造で眼疲労を安価に治癒することが可能となる。
【００３３】
更に、図３（ｄ）に示すように供給パイプ１５の基端部に空気供給用のポンプ２９を取付けて使用することも可能であり、以下にその作用について詳述する。アイカップ３に設けられた供給口１０に供給パイプ１５を連結し、流体収容部３１に流体Ｌを収容した状態で開閉弁１４を開放する。供給パイプ１５の基端部に空気供給用のポンプ２９を配置し、ポンプ２９を押圧することによって、流体収容部内に空気が供給される。この時、流体収容部３１に収容されている流体Ｌが、供給された空気により振動を起こし、眼球Ｇ及びその周縁部をマッサージする。
【００３４】
また、上述のアイカップ３は内部に触圧パッド５を装着しない状態で眼球治癒することが可能であり、この場合にはアイカップ３に供給された温冷水を使用者の眼球部Ｇに直接シャワ水（温冷水）を照射する。その態様について説明する。図示のものはアイカップ３に触圧パッド５を装着しない状態（図４参照）で凹陥部３１に形成されている供給口１０から温冷水を照射する。
【００３５】
このため、供給口１０にはノズル４０が設けられ、このノズル４０は「ジェット流を吐出するジェット流治癒」と「霧状のシャワ流を吐出するシャワ流治癒」とに置換可能に構成されている。供給口１０に取り付けられたノズル４０を回転させることにより、直射状態とシャワ状態の切換を行うように構成されている。以下その構造について詳述する。
【００３６】
供給パイプ１５とノズル４０はジョイント部材２０を介して接続されている。ノズル４０には吐出部４１が備えられ、吐出部４１は、中央吐出部４２およびその周囲に配置されたシャワ吐出部４３を有している。図４（ｂ）及び（ｃ）に示すようにノズル４０はジョイント部材２０とねじ合わされて固定されている。ノズル内には直射用通水路４５及びシャワ用通水路４６が形成され、ノズル４０を回動して前後に移動させることにより吐出状態の切換が出来るように構成されている。
【００３７】
また、供給口１０とノズル４０とは結合部材４７を介して組み合わされており、互いの嵌合部はボール形状になっているので、吐出方向を自在に変えられるように構成される。
【図面の簡単な説明】
【００３８】
【図１】本発明に係わる眼疲労治癒具の説明図であり、（ａ）は全体斜視図を示し、（ｂ）は触圧パッドの形状説明図であり、（ｃ）は（ｂ）と異なる触圧パッドの説明図。
【図２】図１の装置の使用形態を表す全体斜視図。
【図３】図２の装置に於ける流体収容部の構成図であり、（ａ）はアイカップと触圧パッドの取付構造を示す斜視図であり、（ｂ）は流体収容部に流体が供給された状態の説明図であり、（ｃ）は眼疲労治癒具の装着状態図を示し、（ｄ）はアイカップに空気を供給した状態の説明図。
【図４】触圧パッドを装着しない使用状態の説明図であり、（ａ）はノズルの噴射を示す説明図であり、（ｂ）はノズルの直射状態を示し、（ｃ）はノズルの霧状態を示す。
【符号の説明】
【００３９】
Ａ      眼疲労治癒具
Ｇ      眼球
Ｌ      流体
３      アイカップ
３ｘ    ホゾ溝
４      装着バンド
５      触圧パッド
１０    供給口
１１    開閉弁
１１ｄ  ドレンパイプ
１２    逆止弁
１３    昇圧タンク
１４    開閉弁（空気抜き用）
１５    供給パイプ
２５    手動ポンプ
２５ｈ  ハンドル
２６    貯湯タンク
３１    流体収容部（凹陥部）
３２    フランジ部
４０    ノズル  
４１    吐出部
５２    突起
５３    突起
【図１】
2010063542.tif 000003
【図２】
2010063542.tif 000004
【図３】
2010063542.tif 000005
【図４】
2010063542.tif 000006